【事件の表示】
　特願２００４−３４０４０３「リフロー炉」拒絶査定不服審判事件〔平成１７年　６月　９日出願公開、特開２００５−１４４５５８〕について、次のとおり審決する。
【結　論】
　本件審判の請求は、成り立たない。
【理　由】
Ｉ．手続の経緯・本願発明
　本願は、平成１６年１１月２５日の出願であって、平成１８年７月１１日付で拒絶査定がなされ、これに対し、平成１８年８月１８日に拒絶査定に対する審判請求がなされるとともに、平成１８年９月１２日付で手続補正がなされたものである。
　
II．平成１８年９月１２日付の手続補正について
［結論]
　平成１８年９月１２日付の手続補正を却下する。
　
［理由］
１．補正後の本願発明
　本件補正により、特許請求の範囲の請求項１は、次のとおりとなった。
　「【請求項１】　炉内ワーク通路に高温雰囲気を吹き出す雰囲気吹き出し口（７）と、吹き出された炉内雰囲気を吸引する複数の雰囲気吸引ダクト（８）と、上記各雰囲気吸引ダクト（８）によって吸引せしめた炉内雰囲気を排気管（９）を介して集め、上記雰囲気吹き出し口（７）に熱風ダクト（１６）を介して炉内で循環せしめるための雰囲気循環用ブロワ（１５）と、上記熱風ダクト（１６）の上流側に設けた触媒フィルター（２４）及びヒーター（１８）と、上記排気管（９）に介挿したフラックス除去用ダクト（１４）と、このフラックス除去用ダクト（１４）の冷却手段と、上記ワーク搬送ベルトの上面側及び下面側の何れか一方の温度が他方に対し５０℃〜１５℃高くなり、上記他方の温度が最大１０５℃となるよう上記ワーク通路の入口側において上記通路を通るワーク搬送ベルトの上面側及び下面側の何れか一方に配置した加熱手段（２７）とより成ることを特徴とするリフロー炉。」（以下、「本願補正発明」という。）
　
　上記補正は、補正前の請求項１の「雰囲気吸引ダクト（８）」を、「吹き出された炉内雰囲気を吸引する複数の雰囲気吸引ダクト（８）」に、同じく「循環せしめるための雰囲気循環用ブロワ（１５）」を、「炉内で循環せしめるための雰囲気循環用ブロワ（１５）」に補正するものであって、雰囲気吸引ダクト（８）、及び、雰囲気循環用ブロワ（１５）をそれぞれさらに限定するものであるから、特許法第１７条の２第４項第２号に規定する特許請求の範囲の減縮を目的としたものに該当する。
　
　次に、本願補正発明が、特許出願の際独立して特許を受けることができるものであるか否か、すなわち特許法第１７条の２第５項で準用する同法第１２６条第５項の規定に適合するか否かについて、以下検討する。
　
２．引用刊行物とその記載事項
　拒絶の理由に引用した本願の出願前に頒布された特開平７−２１２０２８号公報（以下、「引用例１」という。）、特開平１０−２０３６２１号公報（以下、「引用例２」という。）、及び、特開平１０−２００２５４号公報（以下、「引用例３」という。）、及び、特開平２−８４２９２号公報（以下、「引用例４」という。）には、次の事項が記載されている。
（１）引用例１：特開平７−２１２０２８号公報
（１ａ）「【請求項１】　・・・リフローすべき電子部品を搭載したプリント回路基板を載置して・・・炉体部内を搬送する搬送手段・・・を有するリフロー装置において、・・・炉体部内から・・・雰囲気ガスを吸い出す吸出しポートと、前記吸い出した雰囲気ガスからフラックス成分を除去するフラックス除去ユニットと、・・・フラックス成分を除去された雰囲気ガスを炉体部内に戻す戻しポートとを備えることを特徴とするリフロー装置。」（特許請求の範囲の請求項１）
（１ｂ）「【請求項３】　フラックス除去ユニットは、フイルターと、冷却フィンと、ヒータと、・・・フラックスを分解する触媒反応部と、雰囲気ガスを炉体部から吸い出して炉体部内に戻す循環送風手段とを有する請求項１・・・に記載のリフロー装置。」（特許請求の範囲の請求項２）
（１ｃ）「【実施例】　本発明のリフロー装置の・・・実施例を図１に基づいて説明する。・・・雰囲気ガスは循環しているので、循環を重ねるに従って雰囲気ガスのフラックス成分の含有量が増加し、そのまま放置すると、フラックス成分が炉体部１内に付着してリフロー装置が誤動作する原因になったり、炉体部１内に付着したフラックスがプリント回路基板を汚染して不良発生の原因になる。・・・本実施例では、入口６・・・と、リフローゾーンと冷却ゾーン間・・・とに、吸出しポート９、９を設けている。この吸出しポート９、９から炉体部１内の雰囲気ガスを吸い出すと、吸い出された雰囲気ガス中には気化したフラックス成分が含まれている。このフラックス成分を、フラックス除去ユニット１０で除去し、フラックス成分を除去した雰囲気ガスを戻しポート１１から炉体部１内に戻す。これによって、雰囲気ガス内のフラックス成分の増加を防止できる・・・。この場合、フラックス除去ユニット１０の内部では、フイルター１９が粒子が大きいフラックス成分を除去し、冷却フィン２０が雰囲気ガスを冷却してフラックスを凝固させて除去し、ヒータ２１が・・・所定温度に雰囲気ガスを再加熱し、触媒反応部２３が触媒機能でフラックスをＣＯ２ 、Ｈ２Ｏ等に分解して除去する。フラックス成分が除去された雰囲気ガスは、循環送風手段２４で戻しポート１１から炉体部１内に戻される。」（【００２３】〜【００３１】）
（１ｄ）図１には、プリント回路基板２を載置した搬送手段３が、入口６から出口７に向けて炉体部１内を通過し、２箇所の吸出しポート９、９から吸い出されたそれぞれの雰囲気ガスは合流した後、フラックス除去ユニット１０に導入されること、フラックス除去ユニット１０内で、フィルター１９、冷却フィン２０、ヒーター２１、触媒反応部２３を順次通過した雰囲気ガスは、循環送風手段２４により、フラックス除去ユニット１０を出て炉体部１内に戻しポート１１から導入されることが図示されている。ただし、２箇所の吸出しポート９、９からフラックス除去手段１０に至る雰囲気ガスの流れ、及び、フラックス除去ユニット１０から戻しポート１１に至る雰囲気ガスの流れは、矢印の付された線路により表されている。
　
（２）引用例２：特開平１０−２０３６２１号公報
（２ａ）「電子部品を搭載したプリント配線板等のような被処理ワークである被はんだ付けワークを搬送しながら一方の領域である下面側を加熱し、その下面側の被はんだ付け部に予め供給してあるはんだを溶融させてはんだ付けを行い、他方の領域である上面側に搭載された電子部品等が高温にならないように温度上昇を抑制した・・・技術がある。」（【０００２】）
（２ｂ）「プリント配線板１の下面１ｂ側を約１５０℃に加熱し、上面１ａ側を約１１０℃以内に保持する。なお、この例は、耐熱温度１２０℃の電子部品がプリント配線板１の上面１ａ側に搭載されている場合の・・・例である。」（【０００９】）
　
（３）引用例３：特開平１０−２００２５４号公報
（３ａ）「プリント基板にはリード付き部品も実装してあることが多いので、接着剤硬化時の加熱には、リード付き部品のある側の温度はできるだけ低くする必要がある。そのため、・・・プリント基板の接着剤塗布面の温度は接着剤の硬化温度、例えば１４０℃以上の温度に加熱でき、プリント基板のリード付き部品の実装面は、リード付き部品の耐熱温度以下、例えば１００℃以下の温度にすることが要求される。」（【０００４】）
　
（４）引用例４：特開平２−８４２９２号公報
（４ａ）「リフロー装置の加熱部全域にわたっての上方からの熱風加熱と部分的な赤外線輻射加熱とを併用したリフロー装置がある。この例を第５図に示す。第５図において・・・加熱された雰囲気を下向きに吹きつける風を作り、これによってコンベア１７上に乗せられた被加熱物１８を加熱し、更に赤外線ヒーター１９・・・で補助的に加熱し半田付けしている。」（２頁右上欄５〜１４行）
（４ｂ）第５図には、コンベアベルト１７に載置された被加熱物１８が、入口から出口に向かって搬送され、赤外線ヒータ１９が入口側の上面に設けられたリフロー装置が図示されている。
　
３．当審の判断
３−１．引用例１に記載の発明
　引用例１の摘記事項（１ａ）によれば、リフローすべき電子部品を搭載したプリント回路基板、すなわち、ワークを載置して炉内を搬送する搬送手段を有するリフロー装置において、炉内から雰囲気ガスを吸い出す吸出しポートと、前記吸い出した雰囲気ガスからフラックス成分を除去するフラックス除去ユニットと、フラックス成分を除去された雰囲気ガスを炉内に戻す戻しポートとを備えるリフロー装置が記載され、摘記事項（１ｂ）、（１ｄ）によれば、フラックス除去ユニット１０は、冷却フィン２０、ヒータ２１、触媒反応部２３、及び、雰囲気ガスを炉内から吸い出して炉内に戻す循環送風手段２４を有すること、摘記事項（１ｃ）、（１ｄ）によれば、吸出しポート９は、炉の入口と、リフローゾーンと冷却ゾーン間との２箇所に設けられることが記載されている。すると、ワークは、炉内ワーク通路を搬送手段により搬送されるといえるし、戻しポートから炉内に戻された雰囲気ガスは、摘記事項（１ｃ）に「雰囲気ガスは循環している」と記載されるように、炉内で循環させるために炉内ワーク通路に戻されたといえる。
　また、摘記事項（１ｄ）によれば、図１には、２箇所の吸出しポート９、９からフラックス除去手段１０に至る雰囲気ガスの流れ、及び、フラックス除去ユニット１０から戻しポート１１に至る雰囲気ガスの流れは、ともに矢印の付された線路で図示されているが、リフロー装置がこれらの線路に相当する排気管とダクトを備えることは明らかであるところ、摘記事項（１ｃ）、（１ｄ）によれば、フラックス除去ユニット１０の内部でヒーター２１、触媒反応部２３を順次通って高温となった雰囲気ガス（熱風）は、循環送風手段２４により、フラックス除去手段１０から戻しポート１１に、線路（ダクト）を経て導入されることが記載されている。すると、フラックス除去ユニット１０から戻りポート１１に高温の雰囲気ガス（熱風）を導入するダクトは、熱風ダクトであるといえる。
　そこで、引用例１の摘記事項（１ａ）〜（１ｄ）の記載を総合すれば、引用例１には、「炉内ワーク通路に高温雰囲気を吹き出す戻しポート１１と、吹き出された炉内雰囲気を吸引する２個の吸出しポート９と、上記各吸出しポート９によって吸引せしめた炉内雰囲気を排気管を介して集め、上記戻しポート１１に熱風ダクトを介して炉内で循環せしめるための循環送風手段２４と、上記熱風ダクトの上流側に設けた触媒反応部２３及びヒータ２１と、上記排気管に介挿したフラックス除去ユニット１０と、このフラックス除去ユニット１０の冷却フィン２０とを備えたリフロー装置。」（以下、「引用例１発明」という。）が記載されていることになる。
　
３−２．対比・判断
　本願補正発明と引用例１発明とを対比すると、引用例１発明の「戻しポート１１」、「吸出しポート９」、「循環送風手段２４」、「触媒反応部２３」、「フラックス除去ユニット１０」、「冷却フィン２０」、「リフロー装置」は、それぞれ本願補正発明の「雰囲気吹き出し口（７）」、「雰囲気吸引ダクト（８）」、「雰囲気循環用ブロワ（１５）」、「触媒フィルター（２４）」、「フラックス除去用ダクト（１４）」、「冷却手段」、「リフロー炉」に相当するから、両者は、　
　「炉内ワーク通路に高温雰囲気を吹き出す雰囲気吹き出し口（７）と、吹き出された炉内雰囲気を吸引する複数の雰囲気吸引ダクト（８）と、上記各雰囲気吸引ダクト（８）によって吸引せしめた炉内雰囲気を排気管（９）を介して集め、上記雰囲気吹き出し口（７）に熱風ダクト（１６）を介して炉内で循環せしめるための雰囲気循環用ブロワ（１５）と、上記熱風ダクト（１６）の上流側に設けた触媒フィルター（２４）及びヒーター（１８）と、上記排気管（９）に介挿したフラックス除去用ダクト（１４）と、このフラックス除去用ダクト（１４）の冷却手段とを備えたリフロー炉。」で一致し、次の点で相違する。
　
相違点：本願補正発明は、「ワーク搬送ベルトの上面側及び下面側の何れか一方の温度が他方に対し５０℃〜１５℃高くなり、上記他方の温度が最大１０５℃となるようワーク通路の入口側において上記通路を通るワーク搬送ベルトの上面側及び下面側の何れか一方に配置した加熱手段（２７）」を備えるのに対し、引用例１発明は、このような点が記載されていない点
　上記相違点について検討する。
　引用例２の摘記事項（２ａ）によれば、ワーク（電子部品を搭載したプリント配線板等）の上面側に搭載された電子部品等が高温にならないように温度上昇を抑制して、ワークの下面側に搭載された電子部品をリフローすること、摘記事項（２ｂ）によれば、耐熱温度が１２０℃の電子部品がワークの上面側に搭載された場合には、上面側を約１１０℃以内に保持し、下面側を約１５０℃に加熱することが記載され、また、引用例３の摘記事項（３ａ）によれば、リード付き部品の実装面は、リード付き部品の耐熱温度以下、例えば１００℃以下の温度にすることが要求されることが記載されている。これらの記載によれば、リフローすべき電子部品を搭載したワークの一方の面側は、リフローに必要な温度約１５０℃に加熱するが、耐熱温度の低い電子部品を搭載したワークの他方の面側は、耐熱温度以下の低い温度に保つ必要があることが理解できるし、耐熱温度以下の低い温度とは、例えば、約１１０℃以内の温度や１００℃以下の温度であることも理解できる。
　そうであれば、一方の面側にリフローすべき電子部品を搭載し、他方の面側に耐熱温度の低い電子部品を搭載したワークにおいて、ワークの一方の面側を１５０℃に加熱し、他方の面側を最大１０５℃となるように保つことは、当業者が容易に想到することであるし、ワークの一方の面側の温度を、他方の面側の温度（最大１０５℃）よりも５０℃〜１５℃高くなるようにすることも、用いる半田の融点等を考慮して当業者が想到するに困難なことではない。
　そして、引用例４の摘記事項（４ａ）、（４ｂ）によれば、ワーク搬送手段として搬送ベルト（コンベアベルト）を用い、ワーク搬送ベルトに載置されたワーク（被加熱物）が、ワーク通路の入口側においてワーク搬送ベルトの上面側に配置された加熱手段（赤外線ヒーター）により加熱されるリフロー炉（リフロー装置）が記載され、このようなリフロー炉においては、加熱手段により加熱されたワークの上面側は、加熱されなかった下面側より高温となることが予測できるし、加熱手段をワーク搬送ベルトの下面側に配置した場合には、ワークの下面側が上面側より高温となることも十分予測できることである。
　そうすると、引用例１発明において、ワーク通路をワーク搬送ベルトが通過するものとし、ワーク通路の入口側において上記通路を通るワーク搬送ベルトの上面側及び下面側の何れか一方に加熱手段を配置して、ワーク搬送ベルトの上面側及び下面側の何れか一方の温度が他方に対し５０℃〜１５℃高くなり、上記他方の温度が最大１０５℃となるようにすることにより、ワークの一方の面側と他方の面側に前示したような温度条件を実現することは、当業者にとって格別な創意を要することではない。
　してみると、上記相違点は、引用例２〜４の記載から当業者が適宜なし得たことである。
　
　そして、本願補正発明の奏する効果も、引用例１〜４の記載事項から予測することができる程度のものであって、格別顕著であるとは認められない。
　したがって、本願補正発明は、引用例１〜４に記載された発明に基づいて当業者が容易に発明をすることができたものである。
　
４．むすび
　以上のとおりであるから、本願補正発明は、特許法第２９条第２項の規定により、特許出願の際独立して特許を受けることができないものである。
　したがって、本件補正は、平成１８年法律第５５号改正附則第３条第１項によりなお従前の例によるとされる同法による改正前の特許法第１７条の２第５項において準用する同法第１２６条第５項の規定に違反するもので、同法第１５９条第１項において読み替えて準用する同法第５３条第１項の規定により却下すべきものである。
　
III．本願発明について
１．本願発明
　平成１８年９月１２日付の手続補正は上記のとおり却下されたので、本願の請求項１に係る発明（以下、「本願発明」という。）は、平成１８年６月１９日付の手続補正書により補正された明細書の特許請求の範囲の請求項１に記載された事項により特定される次のとおりのものである。
　「【請求項１】　ワーク通路に高温雰囲気を吹き出す雰囲気吹き出し口（７）と、雰囲気吸引ダクト（８）と、上記各雰囲気吸引ダクト（８）によって吸引せしめた炉内雰囲気を排気管（９）を介して集め、上記雰囲気吹き出し口（７）に熱風ダクト（１６）を介して循環せしめるための雰囲気循環用ブロワ（１５）と、上記熱風ダクト（１６）の上流側に設けた触媒フィルター（２４）及びヒーター（１８）と、上記排気管（９）に介挿したフラックス除去用ダクト（１４）と、このフラックス除去用ダクト（１４）の冷却手段と、上記ワーク搬送ベルトの上面側及び下面側の何れか一方の温度が他方に対し５０℃〜１５℃高くなり、上記他方の温度が最大１０５℃となるよう上記ワーク通路の入口側において上記通路を通るワーク搬送ベルトの上面側及び下面側の何れか一方に配置した加熱手段（２７）とより成ることを特徴とするリフロー炉。」
　
２．引用刊行物とその記載事項
　原査定の拒絶の理由に引用された引用例１〜４とその主な記載事項は、前記「II．２．」に記載したとおりである。
３．当審の判断
　本願発明を特定するに必要な事項を全て含み、さらに具体的に限定したものに相当する本願補正発明が、前記「II．３．」に記載したとおり、引用例１〜４に記載された発明に基づいて当業者が容易に発明をすることができたものであるから、本願発明も同様の理由で、引用例１〜４に記載された発明に基づいて当業者が容易に発明をすることができたものである。
　
４．むすび
　以上のとおり、本願発明は、特許法第２９条第２項の規定により特許を受けることができない。
　よって、結論のとおり審決する。